(57)【要約】【課題】情報記録再生の信頼性を向上させることができる光ディスク、及び光ディスク記録再生装置を提供することを目的とする。【解決手段】光ディスクには、ユーザーが情報を記録再生する領域及び記録再生単位毎に番地情報が付与されている。この番地情報の記録密度は、該ユーザー情報の記録密度よりも低く、光ディスク記録再生装置は、照射光強度を動作状態毎に制御する手段を有し、アイドリング中或いは照射光ビームを光ディスク上で移動させるシーク動作中においては、情報記録及び情報再生モード時よりも該光ビームの強度が低くい強度に維持される。【選択図】    図１
2005044421.tif 000002
【特許請求の範囲】
【請求項１】
第１、第２及び第３の強度の光ビームを選択的に発生し、これら第１、第２及び第３の強度の光ビームをある解像度限界で集光する光学系と、
前記第１或いは第２の強度の光ビームが集光されて超解像度効果を与えるマスク層及びこのマスク層下に設けられ、このマスク層を通過した前記第１の強度の光ビームで情報が記録され、前記マスク層を通過した前記第２の強度の光ビームで情報が再生される記録層を備え、ある再生記録単位に分離され、ユーザー情報を記録再生可能なユーザー情報領域と、前記再生記録単位毎に付与されるユーザー情報領域の番地情報が前記ユーザー情報領域よりも低い記録密度で記録されている番地情報付与領域と、を有する光ディスクと、
前記光ビームの発生を制御する制御部であって、記録モードで前記光学系から第１の強度の光ビームを発生させて前記記録層に情報を記録させ、再生モードで前記光学系から第２の強度の光ビームを発生させて前記記録層から情報を再生させ、この記録及び再生モード以外の他のモードで前記光学系から第３の強度の光ビームを発生させて前記番地情報付与領域を前記第３の強度の光ビームで検索させる制御部と、
前記光ディスクからの前記第２の光ビームを検出してユーザー情報に変換し及び前記光ディスクからの前記第３の強度の光ビームを検出して番地情報に変換する再生処理部と、
を具備する光ディスク記録再生装置。
【請求項２】
前記番地情報付与領域は、前記ユーザー情報領域に先立って配置されるプリピットが形成された領域を含むことを特徴とする請求項１の光ディスク記録再生装置。
【請求項３】
前記ユーザー情報領域には、トラックが設けられ、前記番地情報付与領域は、このトラックが前記番地情報に従って湾曲されるグルーブウォブルを含むことを特徴とする請求項１の光ディスク記録再生装置。
【請求項４】
前記他のモードは、前記第３の強度の光ビームを前記光ディスク上で移動させるシーク動作中に相当するシークモード及び前記記録、再生及びシークモードに先立って記録再生装置を待機状態に維持するアイドリングモードを含むことを特徴とする請求項１の光ディスク記録再生装置。
【請求項５】
前記制御部は、前記光ビームを前記マスク層にフォーカスするフォーカス制御機構を含み、前記制御手段は、前記フォーカス制御機構を制御して第１及び第２の強度の光ビームをマスク層にフォーカスさせ、前記制御手段は、前記フォーカス制御機構を制御して第３の強度の光ビームをマスク層にディフォーカスさせることを特徴とする請求項１の光ディスク記録再生装置。
【請求項６】
前記制御部は、前記第１、第２及び第３の強度を設定する設定部を含み、前記第３の強度は、前記第２の強度よりも低く設定され、前記第２の強度は、前記第１の強度よりも低く設定されることを特徴とする請求項１の光ディスク記録再生装置。
【請求項７】
第１或いは第２の強度の光ビームが集光されて超解像度効果を与え、第３の強度の光ビームが解像度限界で集光されるマスク層及びこのマスク層下に設けられ、このマスク層を通過した前記第１の強度の光ビームで情報が記録され、前記マスク層を通過した前記第２の強度の光ビームで情報が再生される記録層を備え、ある再生記録単位に分離され、ユーザー情報を記録再生可能なユーザー情報領域と、前記再生記録単位毎に付与されるユーザー情報領域の番地情報が前記ユーザー情報領域よりも低い記録密度で記録されている番地情報付与領域と、
を有する光ディスクから情報を記録再生する方法において、
記録モードにおいて、前記第１の強度の光ビームを発生させて前記記録層に情報を記録させ、再生モードにおいて、前記第２の強度の光ビームを発生させて前記記録層から情報を再生させ、この記録及び再生モード以外の他のモードで前記光学系から第３の強度の光ビームを発生させて前記番地情報付与領域を前記第３の強度の光ビームで検索させ、
前記光ディスクからの前記第２の強度の光ビームを検出してユーザー情報に変換し及び前記光ディスクからの前記第３の強度の光ビームを検出して番地情報に変換する光ディスク記録再生方法。
【請求項８】
前記他のモードは、前記第３の強度の光ビームを前記光ディスク上で移動させるシーク動作中に相当するシークモード及び前記記録、再生及びシークモードに先立って記録再生装置を待機状態に維持するアイドリングモードを含むことを特徴とする請求項７の光ディスク記録再生装置方法。
【請求項９】
前記記録及び再生モードにおいては、前記第１及び第２の強度の光ビームをマスク層にフォーカスさせ、前記その他のモードでは、前記第３の強度の光ビームをマスク層にディフォーカスさせる請求項７の光ディスク記録再生装置方法。
【請求項１０】
前記第３の強度の光ビームのパワーは、前記第２の強度の光ビームのパワーよりも低く設定され、前記第２の強度の光ビームのパワーは、前記第１の強度の光ビームのパワーよりも低く設定される請求項７の光ディスク記録再生装置方法。
【発明の詳細な説明】
【０００１】
【発明の属する技術分野】
この発明は、光ディスク記録再生装置及び光ディスク再生記録方法に係り、特に超解像効果を有する光ディスク及びこの光ディスクから超解像効果を利用して情報を記録し、また、再生する光ディスク記録再生装置及び光ディスク記録再生方法に関する。
【０００２】
【従来の技術】
ユーザーが情報を記録再生可能な光ディスクにおいては、光ディスク上の情報領域は、物理的にはセクター単位に分割されている。これらのセクターには、セクター毎に番地が付与されている。
【０００３】
このような光ディスクにおいては、情報記録時には、情報読み出し時よりもパワーレベルが高い光ビームが強度変調されて発生され、この記録用光ビームが光ディスクに照射される。また、情報読み出し時には、記録時に比べて低い一定パワーレベルの光ビームが発生され、この再生用光ビームが光ディスクに照射される。より詳細には、ディスク上の指定セクターに情報を記録する記録モードでは、記録する情報に対応したパターンを有する比較的高い記録パワー（Ｐｗ）のレーザビームが光ディスクに照射されて光ディスク上の記録材料に物理的な変化を起こさせている。一方、ディスク上の指定セクターに記録された情報を再生する読み取りモードでは、比較的低い再生パワー（Ｐｒ）が光ディスクに照射されて、光ディスクの記録材料の物理変化が反射光量の変化として読み出される。
【０００４】
一般に光ディスクでは、この再生パワーＰｒは、光ディスクの記録材料に物理的な変化を起こさせない十分低いパワーに設定されている。記録或いは再生に先立って、目的のセクターまで照射光ビームを移動させるシーク動作中においては、通常、各セクターにあらかじめプリピット或いはグルーブウォブルといった形態で設けられた番地情報が読み出される。このシーク動作中においても、同様に再生パワーＰｒを有する光ビームで番地情報が読み出される。更に、記録モード、読み取りモード、或いは、シーク動作モードに移行する前の待機時におけるアイドリングモードにおいても、照射光ビームは、光ディスク上の何れかに集光される。このような待機モードにおいても、同様に再生パワーＰｒの光ビームが光ディスクに照射される。このように光ディスク上の各セクターは、実際に記録情報を読み出す場合以外においても、頻繁に再生パワーを有する光ビームの照射を受けている。
【０００５】
近年、より高密度に情報を記録再生する方式として超解像効果を有する光ディスクの採用が提案されている。この超解像効果を利用する記録・再生方式では、照射光学系で制限される解像限界以下の寸法で記録された情報までもが光ディスクにおける媒体の超解像効果が利用されて情報が読み出される。超解像効果を利用する記録・再生方式の一例として、非特許文献１に記載されるような相変化材料をマスク層に使う方式、或いは、非特許文献２に記載されるような有機色素材料をマスク層に使う方式等がある。これらの光ディスクでは、情報記録層の光ビーム入射側にマスク層が設けられ、情報記録層上のマスク層を透過した光ビームで情報が記録再生される。何れの材料にあっても、照射スポット内でマスク層材料に熱的な状態変化を起こさせることにより、マスク層を透過した光ビームをスポット径以下に縮小させることができ、解像限界以下の記録再生を可能にしている。ここで、前者の材料の状態変化は、溶融固化、後者の材料の状態変化は、分子構造変化に相当し、十分な超解像効果を発揮させて高密度に記録された情報を読み出すためには、再生パワーをある程度高くする必要がある。しかしながら、一般的にこれらのマスク層材料は、状態変化が多数回繰り返されるうちに、性能が劣化される。
【０００６】
更に、高い強度の光ビームの照射は、マスク層下の情報記録層にも熱的ダメージを及ぼしている。即ち、超解像効果によって情報を読み出すためにこれらの光ディスクに高い強度の照射が繰り返えされると、光ディスクとしての媒体が劣化し、記録情報の信頼性が次第に損なわれてしまう問題がある。
【０００７】
上記のようなマスク材料の劣化或いは情報記録層の劣化を防ぐ対策として、同じセクターを繰り返し読み出すスチル再生の場合に、特許文献１で提案される方法を適用することができる。この特許文献１に開示された方式においては、一度読み出した情報は、バッファメモリに蓄えられ、セクターから再度情報を読み出すことなく、バッファメモリの情報が利用される。このバッファメモリに情報が保持されている間は、媒体劣化が促進しないよう、バッファメモリの情報が利用されてその情報が記録されているセクター以外の他の場所、例えば、情報領域以外の領域に光ビームが照射される。また、この特許文献１には、バッファメモリに情報が保持されている間は、媒体劣化が促進しないよう、光ビームの焦点がずらされて光ディスク上における照射強度が低下され、或いは、照射する光ビームの強度が低下される方式が開示されている。
【０００８】
また、超解像効果を有する光ディスクの再生パワーを最適化する方法に関しては、特許文献２に開示される方法がある。この方法では、最適な再生パワーが予め定められ、この最適な再生パワーがディスク上のリードインと呼ばれる管理情報領域から初めに読み出され、情報記録領域での再生パワーが設定される。この方法においては、リードインには、再生パワーの設定の為の情報が超解像再生を必要としない低密度で記録されている。従って、読み出しは適当なパワーを有する光ビームがリードインに照射されれば良いこととなる。
【０００９】
【特許文献１】
特開２００１−３４９４４
【００１０】
【特許文献２】
特開平７−７３５０６
【００１１】
【非特許文献１】
保田他：第５回相変化記録研究会シンポジウム講演予稿集  （１９９３）  ｐ１
【００１２】
【非特許文献２】
Ｍ．  Ｈａｔａｋｅｙａｍａ  ｅｔ  ａｌ：  Ｐｒｏｃｅｅｄｉｎｇｓ  ｏｆ  ＰＣＯＳ’９９，  （１９９９）  ｐ２６
【００１３】
【発明が解決しようとする課題】
バッファメモリを利用してセクターから頻繁に情報を読み出さないようにする特許文献１に開示された方式は、上述したように同じセクターを繰り返し読み出すスチル再生の場合のみに適用ができ、このようなスチル再生のみに有効となる。媒体としての光ディスクには、記録情報を読み出す場合以外にも頻繁に再生パワーの照射を受けているため、マスク材料層或いは情報記録層が劣化されることを抑制することができない問題がある。
【００１４】
光ディスクの再生パワーを最適化する方法を開示する特許文献２においては、最適再生パワーであっても、十分な超解像効果を得られる再生パワーであれば、媒体劣化を完全に抑制しているとは限らない問題がある。即ち、情報記録領域では、やはり記録情報を読み出す場合以外にも頻繁に再生パワーの照射を受けるため、劣化を抑制することができない問題がある。
【００１５】
上述したように従来、超解像効果を有する光ディスクに対し、十分な超解像効果を発揮させて高密度に記録された情報を読み出すために再生パワーを高くすると、媒体劣化が促進され、記録情報の信頼性が低下する問題がある。
【００１６】
この発明は、情報記録再生の信頼性を向上させることができる光ディスク及び光ディスク記録再生装置を提供することを目的とする。
【００１７】
【課題を解決するための手段】
この発明によれば、
第１、第２及び第３の強度の光ビームを選択的に発生し、これら第１、第２及び第３の強度の光ビームをある解像度限界で集光する光学系と、
前記第１或いは第２の強度の光ビームが集光されて超解像度効果を与えるマスク層及びこのマスク層下に設けられ、このマスク層を通過した前記第１の強度の光ビームで情報が記録され、前記マスク層を通過した前記第２の強度の光ビームで情報が再生される記録層を備え、ある再生記録単位に分離され、ユーザー情報を記録再生可能なユーザー情報領域と、前記再生記録単位毎に付与されるユーザー情報領域の番地情報が前記ユーザー情報領域よりも低い記録密度で記録されている番地情報付与領域と、を有する光ディスクと、
前記光ビームの発生を制御する制御部であって、記録モードで前記光学系から第１の強度の光ビームを発生させて前記記録層に情報を記録させ、再生モードで前記光学系から第２の強度の光ビームを発生させて前記記録層から情報を再生させ、この記録及び再生モード以外の他のモードで前記光学系から第３の強度の光ビームを発生させて前記番地情報付与領域を前記第３の強度の光ビームで検索させる制御部と、
前記光ディスクからの前記第２の光ビームを検出してユーザー情報に変換し及び前記光ディスクからの前記第３の強度の光ビームを検出して番地情報に変換する再生処理部と、
を具備する光ディスク記録再生装置が提供される。
【００１８】
また、この発明によれば、
第１或いは第２の強度の光ビームが集光されて超解像度効果を与え、第３の強度の光ビームが解像度限界で集光されるマスク層及びこのマスク層下に設けられ、このマスク層を通過した前記第１の強度の光ビームで情報が記録され、前記マスク層を通過した前記第２の強度の光ビームで情報が再生される記録層を備え、ある再生記録単位に分離され、ユーザー情報を記録再生可能なユーザー情報領域と、前記再生記録単位毎に付与されるユーザー情報領域の番地情報が前記ユーザー情報領域よりも低い記録密度で記録されている番地情報付与領域と、
を有する光ディスクから情報を記録再生する方法において、
記録モードにおいて、前記第１の強度の光ビームを発生させて前記記録層に情報を記録させ、再生モードにおいて、前記第２の強度の光ビームを発生させて前記記録層から情報を再生させ、この記録及び再生モード以外の他のモードで前記光学系から第３の強度の光ビームを発生させて前記番地情報付与領域を前記第３の強度の光ビームで検索させ、
前記光ディスクからの前記第２の強度の光ビームを検出してユーザー情報に変換し及び前記光ディスクからの前記第３の強度の光ビームを検出して番地情報に変換する光ディスク記録再生方法が提供される。
【００１９】
【発明の実施の形態】
以下図面を参照してこの発明の実施の形態に係る光ディスク及び光ディスク記録再生装置を説明する。
【００２０】
図１は、この発明の第１の実施例に係る光ディスク上の情報領域の構造を概略的に示す平面図及び図２は、図１に示されたＡ−Ａ線に沿った概略的断面図である。
【００２１】
図１に示されるように光ディスクは、番地情報が記録されるプリピットヘッダー６が記録されるプリピットヘッダー領域２及びこのプリピットヘッダー領域２に続いて設けられ、ユーザーが情報を記録することができるユーザー情報記録領域４を備えている。ユーザー情報記録領域４には、トラックとしてのグルーブ１０及びランド１２が設けられ、ユーザー情報は、このトラックとしてのグルーブ１０内並びにランド１２上に記録されている。各トラックは、物理的な記録単位であるセクターに区分され、そのセクター内では、その先頭にプリピットでそのトラック及びセクターの番地情報が与えられ、この番地情報に続いてそのセクターのユーザー情報記録領域４が設けられている。
【００２２】
ユーザー情報記録領域４は、図２に示されるように光透過性基板２０、例えば、ポリカーボネート樹脂製の基板２０上に下地層２２が形成され、この下地層２２上にマスク層２４が形成されている。このマスク層２４上には、記録層２６が形成され、更に、この記録層２６上に反射層２８が形成されている。また、この反射層２８上には、保護層３０が形成されている。マスク層２４は、所謂、光透過率可変媒体と称せられ、光ビーム３２が基板２０及び下地層２２を介してこのマスク層２４の光透過率可変媒体に照射されると、光ビーム３２が照射されたビームスポット内の部分は、温度が上昇される。この温度が上昇された部分が光透過性となり、温度が上昇しない他の部分は、マスクとなる。その結果、所謂ディスク超解像効果が生じて照射スポット径よりも小さい光ビームがマスク層２４の透明部分を通過して記録層２６に照射される。従って、対物レンズ（図示せず）で集光される光ビームによって光ディスク上に形成されるビームスポットよりも小さな径の光ビームが記録層２６上に向けられる。記録モード時には、この光ビームのスポットによって記録マークが形成され、また、読み取りモード時には、記録マークで光ビームが変調されて対物レンズに向けて光ビームが戻される。換言すれば、超解像効果を利用して情報が記録されるディスクにあっては、ユーザー情報は、図３に示す照射光学系で制限される解像限界以下の寸法を有するマークが記録層２６に高密度に記録される。
【００２３】
超解像効果を利用する光ディスクにおいては、ユーザー情報を読み出す為に、十分な超解像効果が得られる再生パワーの照射が必要とされる。これに対して、プリピットヘッダー領域に記録される番地情報は、照射光学系で制限される解像限界以上の寸法であって、ユーザー情報よりも低密度でプリピットとして記録されている。従って、番地情報の読み出しに際しては、超解像効果が得られる再生パワーが照射されることは不要とされる。
【００２４】
図３は、この発明が適用される光ディスク記録再生装置の構成を概略的に示すブロック図である。この図３に示すように光ディスク２０１は、モータ２０２によって所定の速度で回転される。光ディスク２０１への情報記録及び光ディスク２０２からの情報再生時には、光ヘッド２０３から光ビームが光ディスク２０２に向けられる。即ち、光ヘッド２０３内のレーザ１１０が光源制御系２０４によって制御されて記録或いは再生用の光ビームが夫々所定の強度で発生される。この光ビームは、入射系光路に配置されたコリメータレンズ１１２及びビームスプリッタ１１４を介して対物レンズ２０５に向けられ、対物レンズ２０５によって所望のトラック内に向けて集光され、そのトラック内の所望のセクターが検索される。
【００２５】
光ビームを常に所望のトラックにフォーカスし、また、そのトラックに追従させる為に駆動系２０６が設けられている。この駆動系２０６は、対物レンズ２０５を個別に光軸に沿って移動させ、また、光ヘッド２０３の全体を移動させてフォーカス制御並びにトラッキング制御を実施している。
【００２６】
一方、光ディスク２０１で反射された反射光ビームは、対物レンズ２０５を介して光ヘッド２０３に戻され、光ヘッド２０３内のビームスプリッタ１１４によって入射光ビームの光路から分離されて光検出器１１６に向けて投射レンズ１１８によって集光され、この光検出器１１６によって検出される。光検出器１１６からの検出信号は、再生系２０７に出力されて再生信号に変換される。この再生系２０７は、マークで記録されたユーザー記録情報及びプリピットで記録された番地情報の何れの情報をも再生信号として処理可能である。
【００２７】
図１に示される光ディスクのように、番地情報がプリピットである場合には、番地情報が読み出され、この番地情報で特定されるユーザー記録情報が次に読み出される。従って、番地情報とユーザー記録情報とは時間的に分離されて読み出される。番地情報は、番地情報処理系２０９に出力され、また、ユーザー記録情報は、ユーザー情報処理系（２０８）に出力され、番地情報及びユーザー記録情報は、夫々ユーザー情報処理系２０８及び番地情報処理系２０９において信号処理される。
【００２８】
尚、ユーザー記録情報と番地情報は、夫々記録密度が異なっていることから、その再生信号の周波数が異なり、その処理も異なっている。
【００２９】
上述した記録或いは再生情報の処理並びに各部は、コントローラ２１０の制御下で実行される。
【００３０】
図４（ａ）から（ｃ）は、図３に示される装置での情報記録モード、情報読み出しモード及びシーク或いはアイドルモードにおける光ディスクに向けられる光ビームのパワーレベルの相違を示すグラフである。図４において、縦軸は、光ディスク２０１に向けられる光ビームの照射パワーを示し、横軸は、その光ビームの照射時間を示している。
【００３１】
情報記録モード、即ち、光ディスク２０１上の指定セクターにユーザー情報を記録する場合には、図４（ａ）に示すように記録する情報に応じて強度変調された記録用の光ビームが光ディスク２０１に向けて照射される。この記録用の光ビームは、記録する情報に対応したパターンを有し、比較的高い記録パワー（Ｐｗ）を有している。この記録用光ビームによって、ユーザー情報記録領域４内の記録層２６の部分に物理的な変化を起こさせて記録マークが記録される。
【００３２】
情報読み出しモード、即ち、ディスク上の指定セクターに記録された情報を再生する場合には、図４（ｂ）に示すようにユーザー情報記録領域４内の記録層２６の部分に略一定の再生パワー（Ｐ２）を有する再生用光ビームが照射される。この再生用光ビームは、光ディスクの記録層２６の部分における物理的変化を生じている記録マークでその反射強度が変調されてその変調された光ビームが再生情報として読み出される。
【００３３】
ここで、十分な超解像効果を得るためには、再生パワーＰ２をある程度高く設定する必要がある。但し、この再生パワーＰ２を有する光ビームが同一セクターを多数回の照射を繰り返すと、媒体が劣化し、記録情報の信頼性が次第に損なわれてしまう可能性がある。そこで、この発明が適用される再生装置においては、読み取りモードにおいて、ユーザー情報記録領域４から記録された情報をディスクから読み出す場合に限ってのみ、再生用光ビームに必要十分なパワーＰ２を与えている。
【００３４】
情報記録と記録情報読み出し以外の状態、即ち、記録或いは再生に先立って目的セクターへ照射光ビームを移動するシーク動作中（シークモードと称する。）及びこれらの動作開始するまで待機しているアイドリング状態（アイドリングモードと称する。）では、図４（ｃ）に示すようにパワーＰ２よりも更に低いパワーＰ１を有する光ビームが光ディスク２０１に照射される。
【００３５】
既に説明したよう番地情報がユーザー情報よりも低密度で記録されていることから、読み出しに超解像効果は不要である。従って、シーク動作中において、照射光ビームの現在位置と目的セクターの位置関係を知るために、セクター毎に設けられている番地情報を読み取ることが可能である。同様に、図４（ａ）に示すようなユーザー情報記録においても、また、図４（ｂ）に示すようなユーザー情報再生の両モードにあっても、番地情報の読み取りには、超解像効果は、不要である。従って、プリピットヘッダー部分には、パワーＰ１を有する再生光ビームが照射される。
【００３６】
上述した光ビームパワーの切り替えについて図５に示すフローチャートを参照して説明する。ここで、図３に示される光源制御系２０４は、コントローラ２１０の制御下にあり、図５に示す制御動作は、図３に示すコントローラで実行される。
【００３７】
図３に示す装置が動作を開始する（ステップＳ１）と、初めにユーザーによって図示しない入力装置によって読み取りモード或いは記録モードの設定がなされる。このモードの設定に際しては、情報が格納されているセクターが特定される。即ち、読み取りモードにあっては、読み取られるべき最初のセクターから最終のセクターが特定され、或いは、記録モードにあっては、書き込むべき最初のセクターから最終のセクターが特定される。次に、光ビームの強度が再生パワーＰ１に設定される（ステップＳ２）。この再生パワーＰ１を有する光ビームを利用してフォーカス及びトラッキング制御が実行され、シーク動作指令にも続いてシーク動作が開始される（ステップＳ３）。従って、トラックは、再生パワーＰ１を有する光ビームで追跡され、目的のセクターが検索される（ステップＳ４）。このシークモードでは、再生パワーＰ１を有する光ビームでプリピット領域のみが検索されることとなる。目的のセクターが検索されない場合には、シーク動作が継続される。プリピット領域から目的のセクターが検索された場合には、読み取りモードかが判断される（ステップＳ５）。読み取りモードでない場合には、記録モードかが判断される（ステップＳ６）。読み取りモードでない場合には、モードの設定をユーザーに対して要求し（ステップＳ７）、再度ステップＳ２に戻される。
【００３８】
読み取りモードである場合には、再生光ビームのパワーがパワーＰ２に設定され（ステップＳ８）、パワーＰ２を有する再生光ビームがユーザー記録領域に照射されて超解像効果を利用してユーザー記録情報が検索される。従って、セクター単位でユーザー記録情報が読み出される（ステップＳ９）。
【００３９】
ステップＳ６において、記録モードである場合には、パワーが記録モードパワーＰＷに設定され（ステップＳ１０）、パワーＰＷを有する記録光ビームがユーザー記録領域に照射されて超解像効果を利用してユーザー情報が記録される。従って、セクター単位でユーザー記録情報が記録される（ステップＳ１１）。
【００４０】
セクター単位での再生或いは記録が終わると、そのセクターが情報を再生すべき最終セクターか、或いは、情報を記録すべき最終セクターかが判断される（ステップＳ１２）。最終セクターである場合には、その処理が終了され（ステップＳ１３）、最終セクターでない場合には、ステップＳ４に戻されて上述した処理が実行される。
【００４１】
以上のように、図３に示す光ディスク記録再生装置では、ユーザーの要求に従って照射光ビームを目的セクターまでシークさせた後、情報が記録され、或いは、記録情報が再生される。記録モード、読み取りモード、シーク及びアイドルモードの各状態に応じて、コントローラ２１０は、光源制御系２０４に対し、図４に示すように照射光ビームの強度をコントロールしている。従って、光ディスク２０１上への高い再生パワーの照射を最低限に抑制することができ、光ディスク２０１の媒体材料の劣化を低減することができる。
【００４２】
図６は、この発明の第２の実施例に係る光ディスクの一部を拡大して概略的に示す平面である。図６に示す光ディスクにおいては、番地情報を表すプリピットヘッダーが設けられず、ユーザー情報が記録されるトラッキング案内溝であるグルーブのウォブリングに番地情報が記録されている。ウォブリング信号は、ユーザー記録情報と区別するため、十分低い周波数、即ち、低密度で記録されている。即ち、図６に示すように、トラックとしてのグルーブ１０或いはランド１２が同心円状に形成されず、低い周波数で湾曲され、この湾曲が読み出されることによってウォブリング信号として取り出される。具体的には、検出器１１６で読み出された差信号に相当するトラッキング信号中にこのウォブリング信号が含まれ、再生系でウォブリング信号が分離されて番地情報処理系２０９で番地情報に変換される。ユーザー記録情報領域４のユーザー記録情報が読み出すには低い再生パワーの光ビームであってもそのトラッキング信号を解析することによってウォブリング信号を読み出すことができ、そのウォブリング信号から番地情報を取り出すことができる。即ち、第１の実施例と同様に、番地情報の読み取りに関しては、超解像効果が不要となる。
【００４３】
図７は、図６に示す光ディスクへの各モードにおける照射パワーを示すグラフである。図６に示す光ディスクでは、番地情報を表すプリピットヘッダー部分がないことから、図７（ａ）のユーザー情報記録モード及び図７（ｂ）のユーザー情報読み出しモードの何れにあっても、図４（ａ）及び図４（ｂ）とは異なり、パワーＰ１で光ビームが照射される期間が設けられていない。ユーザー情報記録モード及びユーザー情報読み出しモードでは、番地情報は、記録パワーＰｗ、或いは、再生パワーＰｒの照射中に、そのウォブリング信号として読み出される。ウォブリングで設けられている番地情報は、ユーザー記録情報とは、検出演算が異なり、トラッキング信号、即ち、トラック方向差動信号から検出される。図７（ｃ）に示されるようにシーク及びアイドルモードでは、図４（ｃ）と同様に、パワーＰ１を有する再生光ビームのみが照射される。パワーＰ１を有する再生光ビームの照射中においても、ウォブリングで設けられている番地情報が読み出し可能であることは前述の通りである。即ち、この実施の形態においても、光ディスク上への高再生パワー照射を最低限に抑えることができ、媒体の劣化を低減することができる。
【００４４】
以上の実施例では、光ディスク媒体の劣化を低減する方法として、光ディスク上へ照射するパワーを制御し、高再生パワー照射を最低限に抑えている。他の実施例として、光ディスク上へ照射する光ビームの集光状態を制御する方法がある。即ち、ユーザー情報読み出し時には、照射光を光ディスク上にフォーカスし、シーク或いはアイドル状態では、集光機構に焦点誤差を付与したディフォーカス状態（対物レンズ２０５の焦点が光ディスク上に合わせられていない状態）で照射する。フォーカス状態と同じ再生パワーを照射した場合であっても、ディフォーカス状態では、光ディスク上に照射されるパワー密度が低下するため、媒体劣化を低減することができる。従って、照射するパワーを制御するのと同様の効果を得ることができる。
【００４５】
尚、以上の実施例では、図１のプリピットヘッダーを有する光ディスクをランドグルーブ記録方式、図６のウォブルグルーブを有する光ディスクをグルーブ記録方式として図示した。本発明はこれに限定されるものではなく、逆の組合せとして図１のプリピットヘッダーを有する光ディスクをグルーブ記録方式、図６のウォブルグルーブを有する光ディスクをランドグルーブ記録方式としても良いことは明らかである。また、番地情報もランドプリピット、プリピットとウォブルグルーブの併用方式等であっても、実現可能であることは明白である。
【００４６】
尚、この発明は、上記実施形態そのままに限定されるものでなく、実施段階では、その要旨を逸脱しない範囲で構成要素を変形して具体化できる。
【００４７】
また、上記実施形態に開示されている複数の構成要素の適宜な組合せにより種々の発明を形成できる。例えば、実施形態に示される全構成要素からいくつかの構成要素を削除してもよい。更に、異なる実施形態に亘る構成要素を適宜組み合わせてもよい。
【００４８】
【発明の効果】
以上説明したように本発明によれば、情報記録再生の信頼性を向上させる、光ディスク及び光ディスク記録再生装置を提供することが可能である。
【図面の簡単な説明】
【図１】この発明の第１の実施例に係る光ディスク上の情報領域の構造を概略的に示す平面図。
【図２】図１に示されたＡ−Ａ線に沿った概略的断面図である。
【図３】この発明が適用される光ディスク記録再生装置の構成を概略的に示すブロック図である。
【図４】（ａ）から（ｃ）は、図３に示される装置での情報記録モード、情報読み出しモード及びシーク或いはアイドルモードにおける光ディスクに向けられる光ビームのパワーレベルの相違を示すグラフである。
【図５】図３に示される光ディスク記録再生装置における再生パワーの設定動作を説明する為のフローチャートである。
【図６】この発明の第２の実施例に係る光ディスクの一部を拡大して概略的に示す平面である。
【図７】（ａ）から（ｃ）は、図６に示される光ディスクに対する情報記録モード、情報読み出しモード及びシーク或いはアイドルモードにおける光ビームのパワーレベルの相違を示すグラフである。
【符号の説明】
４．．．ユーザー情報記録領域、６．．．プリピットヘッダー、１０．．．グルーブ、１２．．．ランド、２０．．．基板、２２．．．下地層、２４．．．マスク層、２６．．．記録層、２８．．．反射層、２０１．．．光ディスク、２０２．．．モータ、２０３．．．光ヘッド、２０４．．．光源制御系、２０５．．．対物レンズ、２０６．．．駆動系、２０７．．．再生系、２０８．．．ユーザー情報処理系、２０９．．．番地情報処理系、２１０．．．コントローラ
【図１】
2005044421.tif 000003
【図２】
2005044421.tif 000004
【図３】
2005044421.tif 000005
【図４】
2005044421.tif 000006
【図５】
2005044421.tif 000007
【図６】
2005044421.tif 000008
【図７】
2005044421.tif 000009